(57)【要約】【課題】真空掃除機や吸気機構等の排気ノズルを使用した袋体内の脱気に際し、空気流通路が収容物によって塞がれてしまうのを防止し、確実に脱気できるようにする。【解決手段】袋体１内に開口部２から布団・衣類Ｐを収納して当該開口部２を閉鎖すると共に、真空掃除機または吸気機構の排気ノズルＮを袋体１側面の任意の箇所に設けた排気弁機構Ｑに接続して袋体１内の空気を排気し布団・衣類Ｐを圧縮した状態で収納する。排気弁機構Ｑは、袋体１の内部に連通する空気流通路Ｒを有する胴体４と、該胴体４に嵌合して上下に摺動可能とし且つ空気流通路Ｒを介しての空気の流れを制御する排気弁６を備えた支持板５とからなり、袋体１の内容物が胴体４の空気流通路Ｒに接触しないよう内容物を押さえる起立板７を胴体４の空気流通路Ｒ周囲から放射状に形成する。また、起立板７は、その中心側である空気流通路Ｐ近傍において切欠部４ｅを形成する。【選択図】図３
2009190755.tif 000002
【特許請求の範囲】
【請求項１】
袋体内に開口部から布団・衣類を収納して当該開口部を閉鎖すると共に、真空掃除機または吸気機構の排気ノズルを袋体側面の任意の箇所に設けられた排気弁機構に接続して袋体内の空気を排気し布団・衣類を圧縮した状態で収納するようにした圧縮収納袋において、排気弁機構は、袋体の内部に連通する空気流通路を有する胴体と、該胴体に嵌合され上下に摺動可能とし且つ空気流通路を介しての空気の流れを制御する排気弁を備えた支持板とからなり、袋体の内容物が胴体の空気流通路に接触しないよう内容物を押さえる起立板を当該胴体の空気流通路周囲から径外方向に放射状に形成されてなることを特徴とする圧縮収納袋。
【請求項２】
胴体は、円板状の固定板を外周縁に延設してなり、該固定板を袋体の透孔内面に食い込ませるようにして熱融着可能となるよう当該固定板の上面に同心円状のリング溝を備えてなる請求項１記載の圧縮収納袋。
【請求項３】
起立板は、その中心側である空気流通路近傍において形成された排気切欠部を配して胴体に連設されてなる請求項１または２記載の圧縮収納袋。
【発明の詳細な説明】
【技術分野】
【０００１】
本発明は、家庭等で収納保管スペースを有効に利用すべく布団・衣類等を圧縮して嵩を減らして保管するために、袋体内の空気を排気して布団・衣類等を圧縮した状態で収納するようにした圧縮収納袋に関する。
【背景技術】
【０００２】
近年、布団・衣類等を収納するに際して、軟質の合成樹脂シート製の袋体内に布団・衣類等を収納して開口部の一部を残して仮に閉じると共に、袋体内の空気を排気することにより、布団・衣類等を圧縮した状態にし、次いで開口部において突条と凹溝状とを嵌合して密閉することで収納するようにした圧縮収納袋が広く用いられている。
【０００３】
また、従来からのこの種の圧縮収納袋として、例えば排気弁機構を備えたものとしては、特許文献１、２にあるように、その排気弁機構は、例えば空気流通路を有する胴体と、該胴体に内装され上下に摺動可能とし空気流通路を介しての空気の流れを制御する弁とから構成されてなる。そして、このような圧縮収納袋の使用に際しては、袋体の開口部から布団・衣類を入れてから例えば密閉手段の突条と凹溝条とを相互に嵌合して閉塞した後、真空掃除機または吸気機構の排気ノズルを排気弁機構に接続して袋体内の空気を吸引排気し、布団・衣類を圧縮した状態で収納する。
【特許文献１】特開平１−１３９３４６号公報
【特許文献２】実公平７−２４１７号公報
【発明の開示】
【発明が解決しようとする課題】
【０００４】
しかしながら、従来においては、排気弁機構による袋体内の脱気中に当該袋体内が負圧の状態となることから布団・衣類等の収納物によって排気弁機構における胴体の空気流通路が塞がれてしまい、確実な脱気を行うことができなくなる虞があった。
【０００５】
そこで、本発明は叙上のような従来存した諸事情に鑑み創出されたもので、真空掃除機や吸気機構等の排気ノズルを使用しての袋体内の脱気に際し、空気流通路が収容物によって塞がれてしまうのを未然に防止でき、袋体内の確実な脱気を行うことができるようにした圧縮収納袋を提供することを目的とする。
【課題を解決するための手段】
【０００６】
上述した課題を解決するため、本発明にあっては、袋体１内に開口部２から布団・衣類Ｐを収納して当該開口部２を閉鎖すると共に、真空掃除機または吸気機構の排気ノズルＮを袋体１側面の任意の箇所に設けられた排気弁機構Ｑに接続して袋体１内の空気を排気し布団・衣類Ｐを圧縮した状態で収納するようにした圧縮収納袋において、排気弁機構Ｑは、袋体１の内部に連通する空気流通路Ｒを有する胴体４と、該胴体４に嵌合され上下に摺動可能とし且つ空気流通路Ｒを介しての空気の流れを制御する排気弁６を備えた支持板５とからなり、袋体１の内容物が胴体４の空気流通路Ｒに接触しないよう内容物を押さえる起立板７を当該胴体４の空気流通路Ｒ周囲から径外方向に放射状に形成されてなるものである。
また、胴体４は、円板状の固定板４ａを外周縁に延設してなり、該固定板４ａを袋体１の透孔１ｃ内面に食い込ませるようにして熱融着可能となるよう当該固定板４ａの上面に同心円状のリング溝４ｄを備えてなるものである。
さらに、起立板７は、その中心側である空気流通路Ｐ近傍において形成された排気切欠部４ｅを配して胴体４に連設されてなるものとすることができる。
【０００７】
以上のように構成された本発明に係る圧縮収納袋にあって、袋体１側面の任意の箇所に設けられた排気弁機構Ｑに接続された真空掃除機または吸気機構の排気ノズルＮによって袋体１内部を脱気させることで当該袋体１を収縮させる。
このとき、排気弁機構Ｑは、真空掃除機または吸気機構が作動した際に、ベルヌーイの原理によって排気弁６の上面が負圧となって上昇移動され、胴体４の中心下側の空気流通路Ｒが開放されて、袋体１内の空気を排気ノズルＮによって脱気可能にさせる。
これと同時に、胴体４の空気流通路Ｒ周囲から径外方向に放射状に形成されてなる起立板７は、袋体１の内容物が胴体４の空気流通路Ｒに接触するのを阻止して当該空気流通路Ｒの閉塞を防止させる。
また、脱気後に排気弁機構Ｑから排気ノズルＮを取り外すと、外気圧によって排気弁６が下降し、胴体４の中心下側の空気流通路Ｒを密閉させて袋体１の気密保持を可能にさせる。
さらに、起立板７の中心側である空気流通路Ｐ近傍において形成された切欠部４ｅは、脱気時の空気流通路Ｒへの気流に対する抵抗を低減させる。
【発明の効果】
【０００８】
本発明によれば、真空掃除機や吸気機構等の排気ノズルＮを使用しての袋体１内の脱気に際し、空気流通路Ｒが収容物によって塞がれてしまうのを未然に防止でき、袋体１内の確実な脱気を行うことができる。
【０００９】
すなわち、これは本発明が、袋体１の内容物が胴体４の空気流通路Ｒに接触しないよう内容物を押さえる起立板７を当該胴体４の空気流通路Ｒ周囲から径外方向に放射状に形成されてなるからである。
【００１０】
また、胴体４は、円板状の固定板４ａを外周縁に延設してなり、該固定板４ａを袋体１の透孔１ｃ内面に食い込ませるようにして熱融着可能となるよう当該固定板４ａの上面に同心円状のリング溝４ｄを備えてなるので、袋体１の透孔１ｃ内面に対する胴体４の固定が完全に密封された状態となって確実に取り付けられるものとなり、しかも透孔１ｃ内面と胴体４との密着性が強固なものとなる。
【００１１】
そして、この開口部２を密閉した状態のままで、袋体１側面の任意の箇所に設けられた排気弁機構Ｑにより袋体１内の空気を逆流防止状態となして脱気することから、脱気後の排気ノズルＮの抜き出しに際し、袋体１内への空気の浸入を完全に防止することができる。しかも、布団・衣類Ｐ等は袋体１によって嵩を減らした状態で保管可能となるから、家庭等での収納保管スペースを有効に利用することができる。
【００１２】
さらに、排気弁機構Ｑは、袋体１側面の任意の箇所に設けられ、袋体１の内部に連通する空気流通路Ｒを有する胴体４と、該胴体４に嵌合され上下に摺動可能とし且つ空気流通路Ｒを介しての空気の流れを制御する排気弁６を備えた支持板５とからなるので、真空掃除機または吸気機構が作動した際に、ベルヌーイの原理によって排気弁６の上面が負圧となって上昇移動され、胴体４の中心下側の空気流通路Ｒが開放されて、袋体１内の空気を排気ノズルＮによって脱気可能にさせる。それと共に、脱気後に排気弁機構Ｑから排気ノズルＮを取り外すと、外気圧によって排気弁６が下降し、胴体４の中心下側の空気流通路Ｒを密閉させて袋体１の気密保持を可能にさせるから、真空掃除機または吸気機構への吸引負荷が低減されて排気を円滑に行うことができ、これにより布団・衣類Ｐ等は袋体２と共に効率的に圧縮した状態に密封させておくことができる。
【００１３】
また、起立板７は、その中心側である空気流通路Ｐ近傍において形成された切欠部４ｅを配して胴体４に連設されてなるので、脱気時の空気流通路Ｒへの気流に対する抵抗が低減され、袋体１内を効率良くスムーズに脱気することができる。
【００１４】
尚、上記の課題を解決するための手段、発明の効果の項それぞれにおいて付記した符号は、図面中に記載した構成各部を示す部分との参照を容易にするために付したもので、図面中の符号によって示された構造・形状に本発明が限定されるものではない。
【発明を実施するための最良の形態】
【００１５】
以下、図面を参照して本発明を実施するための最良の一形態を説明する。図において示される符号１は、布団・衣類Ｐ等を圧縮した状態で収納するための袋体であり、該袋体１は、図１に示すように、表裏一対の軟質合成樹脂製のシート１ａ，１ｂの３辺が熱融着されることで、一端に開口部２を有する袋状に形成されたものである。
【００１６】
すなわち、袋体１は、例えば透明なプラスチックフィルム等から製袋されている。具体的には、このフィルムの材質は、ガスバリヤー性を有するナイロン・ポリエチレン等の積層シートが好ましい。尚、袋体１は、着色したり、表面に印刷等を施したりすることができる。
【００１７】
また、袋体１の開口部２の一端から他端にかけて密着および剥離が可能なファスナー構造による密閉手段３が設けられている。この密閉手段３において、使用に際し、袋体１の開口部２から布団・衣類Ｐ等を入れてから、折片状のスライダーＳを密閉手段３の端部から挟み込みしっかりと押さえながら滑らすようにして閉じておき、袋体１側面の任意の箇所に設けられた後述する排気弁機構Ｑに接続された真空掃除機または吸気機構の排気ノズルＮによって袋体１内部を脱気させることで当該袋体１を圧縮させるものとしている。
【００１８】
尚、本形態においては、開口部２における密閉手段３が当該開口部２の一端から他端にかけて相互に噛み合うように一対となった雄雌のファスナーが１列となって形成されているが、この一対の雄雌のファスナーを開口部２において２列もしくは３列となして形成されていても良い。
【００１９】
また、袋体１側面の任意の箇所には、真空掃除機または吸気機構の排気ノズルＮを接続して袋体１内の空気を逆流防止状態にして排気するための排気弁機構Ｑが取り付けられている。
【００２０】
この排気弁機構Ｑは、図２に示すように、袋体１の任意の箇所に穿設された透孔１ｃ内面に熱融着等によって固定される胴体４と、同じく袋体１の透孔１ｃの部位においての袋体１の外面から胴体４に嵌合される円板状の支持板５と、該支持板５の中央に内方段差状となって形成された筒孔５ｂ内で上下動可能となって上面が露出されている排気弁６とから構成されている。
【００２１】
すなわち、胴体４の中心下側には段差状に縮径された空気流通路Ｒが形成され、胴体４の外周縁には円板状の固定板４ａが延設されている。この固定板４ａの下面には、図５および図６に示すように、起立板７が当該胴体４の空気流通路Ｒ周囲から径外方向に放射状に形成されており、袋体１の内容物である布団・衣類Ｐ等が空気流通路Ｒに接触して閉塞しないよう内容物を押さえるものとしている。さらに、胴体４の内側には、十文字状に配置されている４つの起立板７それぞれにリブ４ｂを介して一体化された突起状のガイド部４ｃが中央に起立配置されている。したがって、胴体４、ガイド部４ｃ、リブ４ｂそれぞれによって囲まれている円弧状の開口が空気流通路Ｒへの入口となる。
【００２２】
その他の起立板７は、図３（ｃ）に示すように、ガイド部４ｃに接続されておらず、中心側が矩形状の切欠部４ｅとなって胴体４に連なっている。この切欠部４ｅの存在により、脱気時の空気流通路Ｒへの気流に対する抵抗が大きく低減されることから、袋体１内を効率良く脱気可能となるようにしている。
【００２３】
また、固定板４ａの上面には同心円状となった複数のリング溝４ｄを備えている。そして、固定板４ａが袋体１の透孔１ｃ周囲の内面に当該リング溝４ｄに食い込ませるようにして熱融着され、袋体１の透孔１ｃから外方に突出された胴体４の外周縁が、支持板５下面に筒孔５ｂから段差状となって周設されている拡径内周面に嵌合して前記排気弁６の上面を筒孔５ｂから外方に露出させるものとしてある。尚、この固定板４ａ、支持板５それぞれは、排気弁６の直径よりも大きい略同じ外径を有している。
【００２４】
この支持板５上面には外気を流入するための空気流入用突起５ａを、例えば僅かに隆起させて放射状に形成して、そこに接続される排気ノズルＮの先端と支持板５の上面とを所定の間隔だけ隔離させている。
【００２５】
そして、支持板５の筒孔５ｂには、上下に摺動可能とし且つ胴体４の空気流通路Ｒを介しての空気の流れを制御するための円形蓋状の排気弁６が装着されている。すなわち、排気弁６の下面中央には、胴体４のガイド部４ｃが挿入される筒状の挿入部６ａが突設され、挿入部６ａ先端外周には、胴体４の中心下側にある空気流通路Ｒの内壁に嵌挿されて排気弁６自体を固定するための０リング状のシール部材８が付設されている。また、挿入部６ａ外周面の前後対称位置には縦長のリブ６ｃが突設され、該リブ６ｃの下端には支持板５の筒孔５ｂに係止されるよう外径方向に突出した係止部６ｂが形成され、これによって排気弁６の離脱および昇降幅を制限するものとしている。さらに、排気弁６下面の略周縁における左右対称位置には、挿入部６ａに対向して離間配置された一対のガイド用脚部６ｄが垂設されている。
【００２６】
排気弁６は、これがガイド用脚部６ｄによって支持されながら支持板５の筒孔５ｂから上昇移動した際には、当該排気弁６の挿入部６ａと胴体４のガイド部４ｃとが離反して、排気弁６の係止部６ｂが支持板５の筒孔５ｂに係止されることで、支持板５と排気弁６との間に、胴体４の空気流通路Ｒと連通する流路が形成されて排気が可能となるようにしてある。
【００２７】
袋体１の使用においては、図３（ａ）および図４（ａ）に示すように、胴体４を覆うようにして排気弁機構Ｑに排気ノズルＮが当接状にして接続される。そして、真空掃除機または吸気機構が作動した際には、空気流入用突起５ａを介して排気ノズルＮの先端と支持板５の上面とを所定の間隔だけ隔離させていることから、この間隔を介して外気が流入され、ベルヌーイの定理によって排気弁６の上面が負圧となって上昇移動し、胴体４の中心下側の空気流通路Ｒが開放されて、袋体１内の空気を排気ノズルＮによって脱気可能とするようにしてある。
【００２８】
一方、脱気後には、図３（ｂ）および図４（ｂ）に示すように、排気弁機構Ｑから排気ノズルＮを取り外すと、外気圧によって排気弁６が押し下げられて当該排気弁６の挿入部６ａに胴体４のガイド部４ｃが挿入され、且つ排気弁６の周縁部が支持板５の筒孔５ｂ上縁に係止されると同時に当該挿入部６ａの外周面が胴体４の空気流通路Ｒの内壁に嵌挿されることで空気流通路Ｒを密閉させるものとしてある。このとき、当該排気弁６を手指でさらに下方に押し込むことによって前記シール部材８が胴体４の空気流通路Ｒ内壁にしっかりと嵌合されて排気弁６自体を固定するものとしてある。
【００２９】
次に、以上のように構成された最良の形態についての使用の一例について説明する。先ず、図１に示すように、袋体１の透孔１ｃから布団・衣類Ｐ等を入れ、２枚折片状のスライダーＳをファスナー構造による密閉手段３の端部から挟み込みしっかりと押さえながら滑らすようにして当該開口部２を密着閉止する。
【００３０】
そして、図３（ａ）または図４（ａ）に示すように、排気弁機構Ｑに排気ノズルＮを接続し、真空掃除機または吸気機構を作動させる。このとき、排気弁６は、ベルヌーイの原理によって上面が負圧となって上昇移動し、当該排気弁６の挿入部６ａと胴体４のガイド部４ｃとが離反して排気弁６の係止部６ｂが支持板５の筒孔５ｂに係止されることで、支持板５と排気弁６との間に、胴体４の空気流通路Ｒと連通する流路が形成される。こうして胴体４の空気流通路Ｒが排気弁６によって開放されるものとなって袋体１内の空気が排気ノズルＮによって脱気され、これにより袋体１全体が収縮し、収縮に伴ない内部の布団・衣類Ｐ等と共に略均一に圧縮される。
【００３１】
一方、図３（ｂ）または図４（ｂ）に示すようにに、脱気後には、排気弁機構Ｑから排気ノズルＮを取り外すと、外気圧によって排気弁６が押し下げられ、且つ排気弁６の周縁部が支持板５の筒孔５ｂ上縁に係止されることで胴体４の空気流通路Ｒが密閉されるものとなり、袋体１内への空気の浸入が完全に防止されるのである。このとき、排気弁６を手指でさらに下方に強制的に押し込むことによってシール部材８が胴体４の中心下側の空気流通路Ｒ内壁に食い込むようにしてしっかりと嵌合されることで排気弁６自体は確実に固定される。
【図面の簡単な説明】
【００３２】
【図１】本発明を実施するための最良の形態における圧縮収納袋の一例を示す斜視図である。
【図２】同じく排気弁機構の一例を示す分解斜視図である。
【図３】同じく排気弁機構の動作を説明するもので、（ａ）は脱気中の状態を一方向側面から見た縦断面図、（ｂ）は脱気後の状態を一方向側面から見た縦断面図、（ｃ）は脱気後の状態を他方向側面から見た縦断面図である。
【図４】同じく排気弁機構の動作を説明するもので、（ａ）は脱気中の状態を他方向側面から見た縦断面図、（ｂ）は脱気後の状態を他方向側面から見た縦断面図である。
【図５】起立板が配されている固定板を下方向から見た平面図である。
【図６】起立板が配されている固定板を斜下方向から見た斜視図である。
【符号の説明】
【００３３】
Ｐ…布団・衣類                          Ｑ…排気弁機構
Ｒ…空気流通路                          Ｎ…排気ノズル
Ｓ…スライダー
１…袋体                                １ａ，１ｂ…シート
１ｃ…透孔                              ２…開口部
３…密閉手段                            ４…胴体
４ａ…固定板                            ４ｂ…リブ
４ｃ…ガイド部                          ４ｄ…リング溝
４ｅ…排気切欠部                        ５…支持板
５ａ…空気流入用突起                    ５ｂ…筒孔
６…排気弁                              ６ａ…挿入部
６ｂ…係止部                            ６ｃ…リブ
６ｄ…ガイド用脚部                      ７…起立板
８…シール部材
【図１】
2009190755.tif 000003
【図２】
2009190755.tif 000004
【図３】
2009190755.tif 000005
【図４】
2009190755.tif 000006
【図５】
2009190755.tif 000007
【図６】
2009190755.tif 000008